(57)【特許請求の範囲】
【請求項１】
フレキシブルディスクが挿入されるメインフレームと、該メインフレーム上に設けられ、当該メインフレームに挿入された前記フレキシブルディスクを排出するためのイジェクトプレートと、前記メインフレームの下面を覆うロアカバーとを有するＦＤＤに用いられるＦＤＤメディアジャケット受け構造であって、
前記フレキシブルディスクが前記メインフレームに挿入された状態にあるときに当該フレキシブルディスクのジャケットを支持するためのジャケット支持部を、前記イジェクトプレートに形成したＦＤＤメディアジャケット受け構造において、
前記ロアカバーに形成され、前記イジェクトプレートに形成された開口に挿入されて前記イジェクトプレートをガイドするスライドガイドを備え、当該スライドガイドを別のジャケット支持部として利用するようにしたことを特徴とするＦＤＤメディアジャケット受け構造。
【発明の詳細な説明】
【０００１】
【発明の属する技術分野】
本発明は、フレキシブルディスクドライブ（ＦＤＤ）に関し、特にそのメディアジャケット受け構造に関する。
【０００２】
【従来の技術】
周知のように、フレキシブルディスクドライブ（以下、「ＦＤＤ」とも略称する。）は、それに挿入されたフレキシブルディスク（以下、「ＦＤ」とも略称したり、「メディア」とも称する。）の円板状磁気記録媒体に対してデータの記録再生を行うための装置である。そして、このようなフレキシブルディスクドライブは、ラップトップ・パソコンやノート型パソコン、あるいはノート型ワープロ等の携帯型電子機器に搭載される。
【０００３】
従来のフレキシブルディスクドライブは、フレキシブルディスクの磁気記録媒体に対してデータの読出し／書込みを行う磁気ヘッド、この磁気ヘッドをフレキシブルディスクに対して所定の半径方向に沿って移動可能に先端で支持するキャリッジアセンブリ、このキャリッジアセンブリを上記所定の半径方向に沿って移動させるステッピングモータ、フレキシブルディスクを保持しつつ磁気記録媒体を回転駆動するスピンドルモータ等のＤＤ（ダイレクトドライブ）モータ、及びこれらを搭載するためのメインフレーム等を有している。
【０００４】
従来のフレキシブルディスクドライブは、メディアを回転駆動させるスピンドルモータを搭載する専用のモーターフレームをも備えていた。これは、スピンドルモータの回転速度を検出するために周波数発生パターンをプリント配線基板上に形成する必要があり、このプリント配線基板を直接メインフレームに取り付けるよりも、別のフレーム上に設けた方が都合がよかったからである。そのため、従来のフレキシブルディスクドライブは部品点数が多く、組立て工数も多いという問題があった。この問題を解決するために、本出願人は、周波数発生パターンを使用することなく、スピンドルモータの回転速度を制御する方法を既に提案し（特開２００１−１７８１８５号公報参照）、さらに、スピンドルモータを搭載するモータフレーム部分をメインフレームと一体に１ピースで構成したフレキシブルディスクドライブも既に提案（特開２００１−１８４７７４号公報参照）している。
【０００５】
次に、図１及び図２を参照して、上記提案したフレーム構造を有する３．５インチ型フレキシブルディスクドライブについて説明する。図１は、その主要部の分解斜視図、図２は、図１の構成にロアカバー及びフロントパネルを取り付けた状態を前面側からみた斜視図である。
【０００６】
図示のフレキシブルディスクドライブは、３．５インチ型フレキシブルディスクを駆動するための装置である。挿入されたフレキシブルディスクは、図１及び図２の矢印Ａに示す方向からフレキシブルディスクドライブ中に挿入される。挿入されたフレキシブルディスクは、ディスクテーブル１１上に、その回転軸１１ａとフレキシブルディスクの中心軸とが一致した状態で保持される。後述するように、ディスクテーブル１１はメインフレーム１３の表面上で回転自在に支持されている。従って、ディスクテーブル１１の回転軸１１ａの軸方向Ｂは、メインフレーム１３の厚み方向（上下方向）と平行になっている。ディスクテーブル１１は、後述するようにメインフレーム１３の凹部に設けられたスピンドルモータ（ＤＤモータ）３００によって回転駆動され、これによってフレキシブルディスクの磁気記録媒体が回転する。また、メインフレーム１３の裏面には、多数の電子部品が搭載された１以上のプリント配線基板（図３参照）が取り付けられている。
【０００７】
フレキシブルディスクドライブは、フレキシブルディスクの磁気記録媒体に対してデータの読出し／書込みを行うための上下一対の磁気ヘッド１４（上側磁気ヘッドのみを図示する）を備えている。磁気ヘッド１４は、フレキシブルディスクドライブの背面側に設けられたキャリッジアセンブリ１５にその先端で支持されている。すなわち、キャリッジアセンブリ１５は、上側磁気ヘッド１４を支持する上側キャリッジ１５Ｕと下側磁気ヘッドを支持する下側キャリッジ１５Ｌとを有する。キャリッジアセンブリ１５は、メインフレーム１３の表面上で後述するようにメインフレーム１３から離隔して配置されており、磁気ヘッド１４をその先端でフレキシブルディスクに対して所定の半径方向（図１及び図２の矢印Ｃで示す方向）に沿って移動可能に支持している。
【０００８】
また、メインフレーム１３の背面側の側壁１３１には、ステッピングモータ１６が固定されている。ステッピングモータ１６はキャリッジアセンブリ１５を所定の半径方向Ｃに沿ってリニアに駆動する。詳細に説明すると、ステッピングモータ１６は所定の半径方向Ｃと平行に延在する回転軸（駆動軸）１６１を有し、この回転軸１６１には雄ネジが切られている。この回転軸１６１の先端１６１ａは、メインフレーム１３の表面から切り起こしにより立設された曲げ部１３２に空けられた穴１３２ａを貫通し、スチールボール１６２が設けられる。この穴１３２ａとスチールボール１６２とによって、回転軸１６１は所定の半径方向Ｃと平行に延在するように規制され、かつその先端１６１ａは回転可能に保持される。
【０００９】
一方、キャリッジアアセンブリ１５は、下側キャリッジ１５Ｌから回転軸１６１まで延在したアーム１５１を有し、このアーム１５１の先端１５１ａは回転軸１６１の雄ネジの谷の部分に係合する。一方、このアーム１５１と実質的に平行に下側キャリッジ１５Ｌからバネ１５５が延在している。すなわち、アーム１５１とバネ１５５とによってステッピングモータ１６の回転軸１６１を挟んでいる。
【００１０】
従って、ステッピングモータ１６の回転軸１６１が回転すると、このアーム１５１の先端１５１ａが回転軸１６１の雄ネジの谷の部分に沿って動かされ、これによってキャリッジアセンブリ１５自体が所定の半径方向Ｃに沿って移動する。とにかく、ステッピングモータ１６はキャリッジアセンブリ１５を所定の半径方向Ｃに沿ってリニアに移動させるための駆動手段として働く。
【００１１】
ステッピングモータ１６の回転軸１６１がキャリッジアセンブリ１５の一方の側に設けられているので、キャリッジアセンブリ１５の一方の側はこの回転軸１６１によってメインフレーム１３から離隔した状態で、移動可能に支持される。しかしながら、この回転軸１６１による支持だけでは、キャリッジアセンブリ１５全体をメインフレ−ム１３の表面から離隔して配置することはできない。そのため、ガイドバー１７によって、キャリッジアセンブリ１５の他方の側でキャリッジアセンブリ１５を支持しながら案内する。ガイドバー１７はキャリッジアセンブリ１５を間に挟んで、ステッピングモータ１６の回転軸１６１とは逆側に設けられている。ガイドバー１７は所定の半径方向Ｃに対して平行に延在し、メインフレーム１３の表面上で一端１７１および他端１７２が後述するように固定され、キャリッジアセンブリ１５を所定の半径方向Ｃに沿って案内する。これによって、キャリッジアセンブリ１５全体がメインフレーム１３の表面から離隔して配置される。
【００１２】
尚、キャリッジアセンブリ１５からこのガイドバー１７側へフレキシブル・プリンテッド・サーキット（ＦＰＣ）１５２が延在しており、このＦＰＣ１５２はメインフレーム１３の裏面に取り付けられたメインプリント配線基板（後述する）に電気的に接続される。
【００１３】
ガイドバー１７はメインフレーム１３の表面でガイドバークランプ１８によって挟持されている。ガイドバークランプ１８はその中央部でメインフレーム１３の表面にバインド子ネジ１９によって固定されている。詳細に説明すると、ガイドバークランプ１８はガイドバー１７より少しだけ長い矩形固定部材１８０を有し、矩形固定部材１８０のほぼ中央にはバインド子ネジ１９のネジ軸１９０が通過できる程度の穴１８０ａが穿設されている。矩形固定部材１８０の一端１８０ｂおよび他端１８０ｃからは、それぞれ、ガイドバー１７の一端１７１および他端１７２を挟持するための一対のアーム１８１および１８２が延在している。
【００１４】
ガイドバークランプ１８は単にガイドバー１７を挟持しているだけなので、これだけではガイドバー１７をメインフレーム１３の表面に固定することはできない。このために、ガイドバー１７の両端１７１および１７２の位置を規制するための一対の位置決め部材が必要である。この一対の位置決め部材としては、メインフレーム１３の一部をメインフレーム１３の表面側に切り起こして形成した一対の曲げ部２０１および２０２を使用している。
【００１５】
キャリッジアセンブリ１５の下側キャリッジ１５Ｌは、キャリッジアセンブリ１５をガイドバー１７に沿って摺動可能に支持する支持枠としても働く。下側キャリッジ１５Ｌはガイドバー１７側へ突出した突出部（図示せず）を有し、この突出部中にガイドバー１７が摺動可能に嵌入されている。
【００１６】
フレキシブルディスクドライブは、イジェクトプレート２１とディスクホルダ２２とを更に有する。メインフレーム１３、イジェクトプレート２１、及びディスクホルダ２２は、金属板に打抜き加工、プレス加工、曲げ加工等を施すことにより形成される。
【００１７】
イジェクトプレート２１は、フレキシブルディスクの挿入方向Ａおよびその逆方向（前後方向）に沿ってスライド自在なように、メインフレーム１３上に備えられている。イジェクトプレート２１は、後述するように、フレキシブルディスクドライブの作動時に、ディスクホルダ２２と協働してフレキシブルディスクを保持する。また、イジェクトプレート２１は、フレキシブルディスクを挿入方向Ａに沿ってフレキシブルディスクドライブ内に挿入することを可能とし、或いはフレキシブルディスクを挿入方向Ａと逆方向に沿ってフレキシブルディスクドライブ内からの取り出すことを可能とするために、挿入方向Ａに沿ってフレキシブルディスクが摺動自在なようにフレキシブルディスクを保持する。イジェクトプレート２１には、互いに対向する一対の側壁２１０が形成されている。この両側壁２１０の各々には、一対のカム部２１１が形成されている。また、イジェクトプレート２１の底面には、両側壁２１０に沿って切抜き部２１２が形成され、イジェクトプレート２１の底面中央部には、ディスクテーブル１１を取り囲むように略Ｕ字状の切欠き部２１３が形成されている。更に、イジェクトプレート２１の下面には、ピンが設けられており、このピンは、イジェクトレバーの係止部と係合する。
【００１８】
ディスクホルダ２２は、イジェクトプレート２１上に配置されている。ディスクホルダ２２には、主表面２２０と、この主表面２２０の両側端で互いに対向した一対の側壁２２１が形成されている。この両側壁２２１には、それぞれ突片２２２（一方のみ図示）が形成されている。これらの突片２２２は、イジェクトプレート２１の切抜き部２１２を通じてメインフレーム１３の穴１３３内に挿通される。この突片２２２がメインフレーム１３の穴１３３内に挿通されることにより、ディスクホルダ２２は、メインフレーム１３に対する挿入方向Ａの位置が決められるのと同時に、ディスクホルダ２２は、ディスクテーブル１１の回転軸１１ａの軸方向Ｂに沿って往復動自在となる。また、両側壁２２１の各々には、一対のピン２２３が設けられている。このピン２２３は、イジェクトプレート２１の側壁２１０に形成されたカム部２１１内に挿通される。ディスクホルダ２２とイジェクトプレート２１との間には、イジェクトバネ２３が架設されている。
【００１９】
尚、本例の場合、ディスクホルダ２２に突片２２２を設け、メインフレーム１３に穴１３３を設けてあるが、これに限らず、メインフレームに突片を設け、ディスクホルダに穴を設けて構わない。
【００２０】
また、ディスクホルダ２２は、その挿入方向Ａの奥側中央部に、キャリッジアンセンブリ１５の上側キャリッッジ１５Ｕと対応する位置に、所定の半径方向Ｃに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。一方、キャリッジアンセンブリ１５は、側方に延びる一対の側方アーム１５３を備え、この側方アーム１５３は盛り上がり縁２２５の上に位置する。後述するように、フレキシブルディスクがディスクホルダ２２からイジェクトされた状態では、この側方アーム１５３が盛り上がり縁２２５と係合し、これによって上下一対の磁気ヘッド１４同士が互いに離される。さらに、ディスクホルダ２２は、その挿入方向Ａの奥側で開口部２２４から右よりに、後述するイジェクトレバーのレバー部の回動を許すような形状の開口部２２６も有している。
【００２１】
メインフレーム１３上には、キャリッジアセンブリ１５の近傍に、イジェクトレバー２４が回動自在に設けられている。詳細に述べると、メインフレーム１３には、その表面から上方に延びるロッド状ピン１３４が立設している。イジェクトレバー２４は、ロッド状ピン１３４が嵌め込まれる筒状部２４０と、この筒状部２４０から径方向に延在するアーム部（レバー部）２４１と、このアーム部２４１の自由端に設けた上方に延在する突起部２４２と、アーム部２４１の自由端側から周方向に延びる円弧状の係止部２４３とを有している。イジェクトレバー２４には、筒状部２４０の周りにイジェクトレバーバネ２５が装着され、このイジェクトレバーバネ２５は、イジェクトレバー２４を図面上、反時計回りに付勢している。イジェクトレバー２４の突起部２４２は上記ディスクホルダ２２の開口部２２６に遊嵌されている。また、この突起部２４２は、後述するフレキシブルディスクのシャッタの右側上端縁と係合して、シャッタの開閉を制御する。尚、ロッド状ピン１３４の先端には、図２に示されるように、ネジ２６が捩じ込まれており、これによってイジェクトレバー２４がロッド状ピン１３４から抜けるのを防止している。
【００２２】
また、図２に示すように、メインフレーム１３の下面側には、ロアケース７０が取り付けられている。さらに、メインフレームの前端部には、フロントパネル２７が取り付けられている。フロントパネル２７は、フレキシブルディスクを出し入れする開口２７１と、この開口２７１を開閉する扉２７２とを備えている。また、このフロントパネル２７には、イジェクトボタン２８を部分的に外部へ突出させるための角穴２９が形成されている。図１に示すように、イジェクトボタン２８は、イジェクトプレート２１の前端で前方に突き出ている突起部２１４に嵌め込まれている。
【００２３】
次に、図３を参照して、図１および図２に示されたフレキシブルディスクドライブに使用されるメインフレーム１３について説明する。図３はメインフレーム１３を斜め側方下方から見た斜視図である。
【００２４】
図３から明らかなように、図示のメインフレーム１３は、フレキシブルディスクが挿入されるメインフレーム部分１３−１と、この挿入されたフレキシブルディスクを回転駆動するためのスピンドルモータ３００を搭載するモータフレーム部分１３−２とを一体に１ピースで構成されている。つまり、メインフレーム１３はモータフレームを兼ねる。
【００２５】
ここで、モータフレーム部分１３−２は、絞り加工による絞り込みの形状を有している。これは、裏面（底面）側から見ると、モータフレーム部分１３−２が裏面（底面）側に突出した構造である。モータフレーム部分１３−２には、裏面（底面）側から見た場合に頂上面となる部分に、スピンドルモータ３００のリード線を引き出すための開口部１３−２ａが形成されている。
【００２６】
尚、図３に示されたモータフレーム部分１３−２の絞り込み形状は、円形をしているが、これに限定されず、深さや材質により多角形、楕円形であっても良い。また、フレーム部分１３−２の絞り込み形状における絞り逃げ形状も、図示のものに限定されず、種々の形状であっても良い。さらに、モータフレーム部分１３−２とメインフレーム１３−１との繋ぎ方も図示のものに限定されないのは勿論である。
【００２７】
図示のフレキシブルディスクドライブは、スピンドルモータ３００の駆動を制御するために必要な周波数発生パターンを削除すること、すなわち、それを形成するためのプリント配線基板を削除することにより、上述のような形状のメインフレーム１３の採用を可能にしている。また、周波数発生パターンを削除することにより、スピンドルモータ３００のロータの永久磁石の底面部に施されているモータサーボ用着磁も不要となっている。その代わりに、図示のフレキシブルディスクドライブは、周波数発生パターンを用いた場合と等価な機能を発揮する電子的処理手段を備えている。なお、このような電子的処理手段の詳しい動作については、前述した特開２００１−１７８１８５号公報に開示されているので、ここではその説明を省略する。
【００２８】
図示のフレキシブルディスクドライブのメインプリント配線基板３０は、メインフレーム１３のメインフレーム部分１３−１の裏面側に取り付けられる。図３に示されるように、このメインプリント基板３０は、モータフレーム部分１３−２に重ならない形状を有している。そして、メインプリント配線基板３０は、その表面３０ａがメインフレーム部分１３−１の裏面から所定の距離だけ離れた状態で、その裏面３０ｂがモータフレーム部分１３−２の頂上面よりもメインフレーム部分１３−１の裏面に近く（低く）なるように、メインフレーム部分１３−１から切り起こされ、その先端部にネジ穴が形成された支持片（図示せず）にネジ３３で固定される。
【００２９】
以上の様な構成により、本発明者によって既に提案されたフレキシブルディスクドライブは、部品点数の削減と、組立工程の削減を実現している。
【００３０】
次に、図４を参照して、上述のフレキシブルディスクドライブのメディアジャケット受け構造について説明する。
【００３１】
図４に示しように、メインフレーム１３には、摺動動作するイジェクトプレート２１の形状に合わせた構造のスライドガイド１３６を４箇所に持っている。そしてこれらのスライドガイド１３６の頂上部が、フレキシブルディスクがメインフレーム内に挿入されたとき（メディアチャッキング時）に、それぞれメディアジャケットを受ける（支持する）支持部として働く。つまり、これらのスライドガイド１３６は、チャッキング状態にあるメディアの四隅に対応する位置に、同じ高さとなるように形成されている。
【００３２】
このように、このフレキシブルディスクドライブでは、スライドガイド１３６が、メディアジャケット受け構造を構成している。
【００３３】
【発明が解決しようとする課題】
発明者は、ＦＤＤの軽量化及び材料費の低減を達成するために、メインフレームを小型化することについて検討した。しかしながら、発明者が既に提案したフレキシブルディスクドライブでは、上述したように、メディアジャケット受け構造として、メインフレームに形成されたスライドガイドが利用されており、メインフレームの小型化を実現する妨げとなっている。
【００３４】
そこで、本発明は、メインフレームの小型化を実現するためのメディアジャケット受け構造を提供することを目的とする。
【００３５】
【課題を解決するための手段】
本発明の一態様によれば、フレキシブルディスクが挿入されるメインフレーム（１３Ａ）と、該メインフレーム上に設けられ、当該メインフレームに挿入された前記フレキシブルディスクを排出するためのイジェクトプレート（２１Ａ）と、前記メインフレームの下面を覆うロアカバー（７０Ａ）とを有するＦＤＤに用いられるＦＤＤメディアジャケット受け構造であって、前記フレキシブルディスクが前記メインフレームに挿入された状態にあるときに当該フレキシブルディスクのジャケットを支持するためのジャケット支持部（２１８）が、前記イジェクトプレートに形成したＦＤＤメディアジャケット受け構造において、前記ロアカバーに形成され、前記イジェクトプレートに形成された開口部（２７１ａ）に挿入されて前記イジェクトプレートをガイドするスライドガイド（７０５）を備え、当該スライドガイドを別のジャケット支持部として利用することを特徴とするＦＤＤメディアジャケット受け構造が得られる。
【００３７】
なお、上記括弧内の参照符号は、本発明の理解を容易にするために記載したものであって、本発明を何ら限定するものではない。
【００３８】
【発明の実施の形態】
以下、本発明の実施の形態について図面を参照して詳細に説明する。
【００３９】
図５乃至図７を参照して、本発明の一実施の形態に係るメディアジャケット受け構造が適用されるフレキシブルディスクドライブについて説明する。
【００４０】
図５はフレキシブルディスクドライブに用いられるメインフレーム１３Ａの斜視図である。図６は図５に図示したメインフレーム１３Ａの下面（底面）を覆うロアカバー（下蓋）７０Ａの斜視図である。図７は図５に図示したメインフレーム１３Ａと図１４に図示したロアカバー７０Ａとを組み合わせた状態の斜視図である。
【００４１】
図５から明らかなように、図示のメインフレーム１３Ａは、磁気ヘッド１４（図１）を保持するキャリッジアセンブリ１５（図１）と、このキャリッジアセンブリ１５を所定の半径方向Ｃに沿って摺動させるためのステッピングモータ１６（図１）と、挿入されたフレキシブルディスクを回転駆動するためのスピンドルモータ３００（図１）の実質的に半分に相当する部分のみとを搭載する寸法を有している。すなわち、メインフレーム１３Ａは、フレームの前方部が削除された構造を有している。そして、このメインフレーム１Ａには、図４とは形状が異なるものの、一対のスライドガイド１３６形成されている。これらのスライドガイド１３６は所定の高さに形成されており、その頂上部は、チャッキングされたメディアジャケットを指示するためのメディアジャケット受け構造の一部として働く。
【００４２】
ここで、キャリッジアセンブリ１５やステッピングモータ１６、スピンドルモータ３００等は、フレキシブルディスクドライブを構成する部品の中で、その機能を発揮（特性を維持）する上で比較的高い精度が要求される部品（以下、「高精度部品」と呼ぶ。）である。本実施の形態では、このような高精度部品をメインフレーム１３Ａ上に搭載するようにしている。
【００４３】
メインフレーム１３Ａにおいてフレームの前方部の構造を削除したので、この部分を何らかの形（手段）で補う必要がある。そこで、本発明では、ロアカバー７０Ａに、この削除したフレームの前面部に相当する機能をもつサブフレームとしての機能を持たせるようにした。この削除したフレームの前方部に相当する機能には、イジェクト機構のスライドガイド構造部分などがある。このイジェクト機構のスライドガイド構造部分は、フレキシブルディスクドライブを構成する部品の中で、その機能を発揮（特性を維持）する上で比較的精度が低くても良い部品（以下、「低精度部品」と呼ぶ。）である。
【００４４】
図６に示すように、ロアカバー７０Ａは、主表面７００と、この主表面の両側端で互いに対向した一対の側壁７０１とを有する。イジェクト機構のスライドガイド構造部分を構成するため、主表面７００は、その前方部に上方に盛り上がった第１及び第２の盛り上がり部７０２，７０４を持つ。第２の盛り上がり部７０４は、挿入方向Ａに延在するＬ字形の開口７０４ａを持つ。また、ロアカバー７０Ａの一対の側壁７０１は、互いに内側へ切り起こして形成された一対のサイドストッパー７０３を持つ。さらに、ロアカバー７０Ａの主表面７００は、その右側前方部で上方に突出するように切り起こして形成された曲げ部７０５を持つ。この曲げ部７０５は、後述のイジェクトプレート２１Ａの下面に当接する肩７０５ａと、Ｌ字形のフック部７０５ｂとを持つ。
【００４５】
図５のメインフレーム１３Ａとロアカバー７０Ａとを組み合わせると図７のようになる。ロアカバー７０Ａに形成された曲げ部７０５は、図７に示す状態で、メインフレームに形成されたスライドガイド１３６と同じ高さとなるように形成される。そして、この曲げ部７０５は、チャッキング状態にあるメディアジャケットを支持するためのメディアジャケット受け構造として働く。なお、このメインフレーム１３Ａの上には、後述のイジェクトプレート２１Ａが設けられる。
【００４６】
前述したように、メインフレーム１３Ａには、フレームの前面部の構造がないので、単に、イジェクトプレート２１Ａをメインフレーム１３Ａ上に設置しただけでは、衝撃等でのイジェクトプレート２１Ａの撓りや変形等の発生を防止することができない。そこで、本発明では、イジェクトプレート２１Ａが変形してイジェクト動作が不具合になるのを防止するための工夫を、上述したロアカバー７０Ａと、イジェクトプレート２１Ａとに施している。
【００４７】
詳述すると、イジェクトプレート２１Ａは、図８に示すように、その前端に下方に突出する第１の突起２１５を持つ。この第１の突起２１５は、僅かの隙間を空けてロアカバー７０Ａの第１の盛り上がり部７０２の上方に配置される。換言すれば、イジェクトプレート２１Ａが摺動する間、第１の突起２１５は、第１の盛り上がり部７０２上を隙間を空けて移動することになる。なお、イジェクトプレート２１Ａは、ロアカバー７０Ａのサイドストッパー７０３上を摺動する。
【００４８】
また、イジェクトプレート２１Ａは、その前端で下方に突出する第２の突起２１６を持つ。この第２の突起２１６は、ロアカバー７０Ａの第２の盛り上がり部７０４に当接する肩２１６ａと、Ｌ字形の開口７０４ａに挿入されるＬ字形のフック部２１６ｂとを持つ。すなわち、第２の盛り上がり部７０４と第２の突起２１６との組合わせによって、１つのスライドガイド構造部分が構成されている。
【００４９】
さらに、イジェクトプレート２１Ａは、その底面の右側前面部で挿入方向Ａに延在するＬ字形の開口２１７ａを持つ。開口２１７ａには、図９に示すように、ロアカバー７０ＡのＬ字形のフック部７０５ｂが挿入される。すなわち、イジェクトプレート２１ＡのＬ字形の開口２１７ａと曲げ部７０５との組合せによって、もう１つのスライドガイド構造部分が構成されている。前述のように、この曲げ部７０５の頂上部は、メディアジャケット受け構造の一部として働く。
【００５０】
さらに、イジェクトプレート２１Ａは、メディアジャケット受け構造としてのみ働く、曲げ部２１８を有している。この曲げ部２１８は、メインフレーム上に前後方向に移動可能に配設された状態で、スライドガイド１３６と同じ高さとなるように形成されている。
【００５１】
以上のように、本実施の形態に係るメディアジャケット受け構造は、メインフレームに形成された一対のスライドガイド１３６と、ロアケースに形成された曲げ部７０５と、イジェクトプレートに形成された曲げ部２１８とによって実現される。
【００５２】
このようにして、本実施の形態では、従来明フレームに形成されていたメディアジャケット受け構造の一部をイジェクトプレート２１Ａとに形成し、またロアカバーに形成されたスライドガイドを利用するようにしたことで、メインフレームの小型軽量化を実現が可能になる。また、本実施の形態によれば、部品点数の増加を招くこともない。
【００５３】
本発明は上述した実施の形態に限定せず、本発明の趣旨を逸脱しない範囲内で種々の変更・変形が可能なのは勿論である。例えば、ロアカバー７０Ａに形成した曲げ部７０５をメディアジャケット受け構造の一部として利用する代わりに、メディアジャケットの受け構造としてのみ働く曲げ部をもう一つイジェクトプレートに設けるようにしてもよい。
【００５４】
【発明の効果】
本発明によれば、メディアジャケット受け構造の一部を、イジェクトプレートに形成された曲げ部と、ロアケースに形成された曲げ部とによって実現するようにしたことで、メインフレームの小型軽量化を実現することができる。
【図面の簡単な説明】
【図１】発明者が以前提案した３．５インチ型フレキシブルディスクドライブの主要部の分解斜視図である。
【図２】図１のフレキシブルディスクドライブの主要部にロアカバーとフロントパネルを取り付けた状態を示す斜視図である。
【図３】図１のフレキシブルディスクドライブに用いられるメインフレームとメインプリント配線基板とを示す斜視図である。
【図４】図１のフレキシブルディスクドライブに用いられるメインフレームの斜視図である。
【図５】本発明の一実施の形態に係るメディアジャケット受け構造が採用されるフレキシブルディスクドライブに用いられるメインフレームの斜視図である。
【図６】図５のメインフレームと組み合わされるロアカバーの斜視図である。
【図７】図５のメインフレームと図６のロアカバーとを組み合わせた状態を示す斜視図である。
【図８】図５のメインフレーム及び図６のロアカバーと組み合わされるイジェクトプレートを示す斜視図である。
【図９】図８のイジェクトプレートに形成された開口２１７ａにロアケース７０Ａに形成されたフック部７０５ｂを挿入した状態を示す斜視図である。
【符号の説明】
１３Ａ      メインフレーム
２１Ａ      イジェクトプレート
２１８      曲げ部
７０Ａ      ロアカバー
７０５      曲げ部
【図１】
0004000450.tif 000002
【図２】
0004000450.tif 000003
【図３】
0004000450.tif 000004
【図４】
0004000450.tif 000005
【図５】
0004000450.tif 000006
【図６】
0004000450.tif 000007
【図７】
0004000450.tif 000008
【図８】
0004000450.tif 000009
【図９】
0004000450.tif 000010